(57)【要約】【課題】記録可能な光ディスクを用いる録画装置において、既存のＶＴＲで録画したテープから映像音声信号を、簡単な操作で検索用のメニューを作成しながら記録する。【解決手段】録画装置にＶＴＲを制御するためのデータ送出手段を設けてＶＴＲを制御するとともに、ＶＴＲから受信した検索用の画面を静止画として記録する手段と、該記録した静止画を用いて光ディスクに記録するメニューを作成する手段を設ける。これにより、ＶＴＲから入力する映像音声信号を光ディスクに記録し直す際にＶＴＲが有する記録内容検索機能を録画装置において光ディスクに録画する際のメニュー画面の作成に利用できる【選択図】  図１
2005057327.tif 000002
【特許請求の範囲】
【請求項１】
入力された映像音声信号をデータ圧縮するエンコード回路と、磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置を制御する制御データを送信するデータ送信回路と、を備えた録画装置において、
該他の映像音声信号再生装置を該データ送信回路を用いて操作して得られる映像信号を静止画として記録する静止画記録モードと、
該他の映像音声信号再生装置を該データ送信回路を用いて操作して得られる映像音声信号を記録する動画記録モードと、
静止画として記録された画像を用いてメニュー画面を作成するメニュー画面作成モードと、
動画記録モードにより記録された画像の分割点を指定する動画分割指定モードと、
作成したメニュー画面と分割した動画を光ディスクに記録する光ディスク記録モードと、を設けたことを特徴とする録画装置。
【請求項２】
磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置とデジタル化された映像音声信号データおよび制御用のデータを送受信するインターフェース回路と、を備えた録画装置において、
該他の映像音声信号再生装置を該インターフェース回路を用いて操作して得られる映像信号を静止画として記録する静止画記録モードと、
該他の映像音声信号再生装置を該インターフェース回路を用いて操作して得られる映像音声信号を記録する動画記録モードと、
静止画として記録された画像を用いてメニュー画面を作成するメニュー画面作成モードと、
動画モードにより記録された画像の分割点を指定する動画分割指定モードと、
作成したメニュー画面と分割した動画を光ディスクに記録する光ディスク記録モードと、を設けたことを特徴とする録画装置。
【請求項３】
入力された映像音声信号をデータ圧縮するエンコード回路と、磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置を制御するデータ送信回路と、を備えた録画装置の制御方法において、
該データ送信回路より制御用のデータを送信して該他の映像音声再生装置を検索用画面表示状態にするステップと、
該他の映像音声信号再生装置から入力される該検索用画面の映像信号を静止画として記録するステップと、
該データ送信回路より制御用のデータを送信して該他の映像音声再生装置を再生状態にするステップと、
該他の映像音声信号再生装置から入力される映像音声信号をデータ圧縮して記録するステップと、
該記録された映像音声信号の分割点を指定するステップと、
静止画として記録された画像の領域と該映像音声信号の分割点とを関連付けて指定しメニュー画面を作成するステップと、
作成したメニュー画面と分割した映像音声信号を前記光ディスクに記録するステップと、を設けたことを特徴とする録画装置の制御方法。
【請求項４】
磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置とデジタル化された映像音声信号データおよび制御用のデータを送受信するインターフェース回路と、を備えた録画装置の制御方法において、
該インターフェース回路より制御用のデータを送信して該他の映像音声再生装置を検索用画面表示状態にするステップと、
該他の映像音声信号再生装置から入力される該検索用画面の映像信号を静止画として記録するステップと、
該データ送信回路より制御用のデータを送信して該他の映像音声再生装置を再生状態にするステップと、
該他の映像音声信号再生装置から入力される映像音声信号を記録するステップと、
該記録された映像音声信号の分割点を指定するステップと、
静止画として記録された画像の領域と該映像音声信号の分割点とを関連付けて指定しメニュー画面を作成するステップと、
作成したメニュー画面と分割した映像音声信号を光ディスクに記録するステップと、を設けたことを特徴とする録画装置の制御方法。
【発明の詳細な説明】
【０００１】
【発明の属する技術分野】
本発明は記録可能な光ディスクのドライブを備えて映像音声信号を録画することのできる録画装置に係り、特に従来のＶＴＲによって記録された映像音声信号を光ディスクに記録し直すのに好適な録画装置およびその制御方法に関するものである。
【０００２】
【従来の技術】
最近、磁気ディスク装置（以下ＨＤＤと記載する）とＤＶＤ−ＲＡＭやＤＶＤ−Ｒなど記録再生可能な光ディスク装置の双方のディスク装置を一つの筐体に内蔵した複合録画装置が市場に登場している。かかる複合録画装置では内蔵している放送受信チューナで受信した映像音声信号もしくは外部の装置より入力された映像音声信号をＨＤＤもしくは光ディスクのいずれにも記録することができる。
また、ＨＤＤより光ディスクに、あるいは光ディスクよりＨＤＤに記録されている映像をコピーしたり移動したりすることも通常は、著作権保護によりコピーが禁止された映像音声信号のコピーを除き、可能となっている。
【０００３】
このような複合録画装置を用いることにより、映像像音声信号をＨＤＤに蓄えておいて後刻いつでも好きなときに視聴することはもちろん可能であり、ＨＤＤの残り容量が無くなったり少なくなったりした時にはＨＤＤに録画されている映像音声信号を光ディスクに記録し直して保存し、ＨＤＤに記録された元の映像音声信号を削除して記録容量を増やすことができる。
また、ＨＤＤに蓄えた映像音声信号を光ディスクに記録する際にはＤＶＤ  Ｖｉｄｅｏ規格に則した記録形式によりメニュー画面を追加して記録し、他の再生専用の再生装置でも再生可能な光ディスクを作成することが可能である。〔特許文献１〕によればかかる録画再生装置の例が示されている。〔特許文献１〕３頁にはＨＤＤに録画されている映像音声信号を光ディスクに録画し直し、その際にメニュー画面を合わせて記録することが示されている。
【０００４】
ところで、従来一般に利用されてきた映像音声信号の録画再生装置としてＶＴＲが有り、一般家庭などでもＶＴＲによって記録された多くのテープが存在していることは周知のことである。前記したような複合録画装置を用いれば、ＶＴＲと接続することによってＶＴＲで再生された映像音声信号をＨＤＤもしくは光ディスクに録画し直すことが可能である。特にテープから光ディスクに録画することによって保存性が向上することが期待できる。
しかしながら２台の装置を接続して映像音声信号を記録し直すことは時間がかかる上に双方の装置に対して動作の指示を行わねばならないため操作性が悪かった。〔特許文献２〕にはこうした点を鑑みＶＴＲとディスク録画装置を一体化することが示されている。また〔特許文献２〕の４−６頁にはＶＴＲ部とディスク録画部を備え、テープに録画されている映像音声信号を光ディスクに録画するための録画再生装置の構成例が記載されている。
【０００５】
【特許文献１】
特開２００３−４６９３６号公報
【特許文献２】
特開２００１−１６５４０号公報
【０００６】
【発明が解決しようとする課題】
テープに記録されている映像音声信号を光ディスクに記録し直すために上記したようなＶＴＲと光ディスク装置を一体化した録画再生装置を導入する場合、従来から有るＶＴＲのほかにＶＴＲ装置を設けることになるためその分のコストが掛かることになる。また光ディスクへの録画に際して従来のＶＴＲはなんら機能を提供することは無く、無駄になってしまう。
従来のＶＴＲにはテープにインデックス信号を記録して個々のテープを識別し、各テープに映像音声信号の記録を行った日時、放送受信チャンネル等を記憶するメモリ手段を設けて、テープを再生する際に記録内容検索用の画面を表示して使い勝手を高めるようにした物が有る。このような従来のＶＴＲに固有の機能も前記した録画再生装置ではまったく利用することができなかった。〔特許文献１〕と従来のＶＴＲを用いた場合においても、上記の検索用の画面の情報を光ディスクに録画し直す際のメニュー画面の作成の場合に利用することはできなかった。
本発明の目的は、光ディスクへの録画機能を備えた録画装置において、外部の装置から入力する映像音声信号を光ディスクに記録し直す際に、従来のＶＴＲを活用して余分なコスト増を防ぎ、しかも従来のＶＴＲが有する記録内容検索機能を光ディスクに録画する際のメニュー画面の作成に利用できるような録画装置およびそのような録画装置の制御方法を提供することである。
【０００７】
【課題を解決するための手段】
前記した目的を達成するため本発明では、入力された映像音声信号をデータ圧縮するエンコード回路と、磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置を制御する制御データを送信するデータ送信回路と、を備えた録画装置において、
該他の映像音声信号再生装置を該データ送信回路を用いて操作して得られる映像信号を静止画として記録する静止画記録モードと、該他の映像音声信号再生装置を該データ送信回路を用いて操作して得られる映像音声信号を記録する動画記録モードと、静止画として記録された画像を用いてメニュー画面を作成するメニュー画面作成モードと、動画記録モードにより記録された画像の分割点を指定する動画分割指定モードと、作成したメニュー画面と分割した動画を光ディスクに記録する光ディスク記録モードと、を録画装置に設けるようにした。
【０００８】
また、前記した目的を達成するため本発明では、磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置とデジタル化された映像音声信号データおよび制御用のデータを送受信するインターフェース回路と、を備えた録画装置において、
該他の映像音声信号再生装置を該インターフェース回路を用いて操作して得られる映像信号を静止画として記録する静止画記録モードと、該他の映像音声信号再生装置を該インターフェース回路を用いて操作して得られる映像音声信号を記録する動画記録モードと、静止画として記録された画像を用いてメニュー画面を作成するメニュー画面作成モードと、動画モードにより記録された画像の分割点を指定する動画分割指定モードと、作成したメニュー画面と分割した動画を光ディスクに記録する光ディスク記録モードと、を録画装置に設けるようにした。
【０００９】
さらには、前記した目的を達成するため本発明では、入力された映像音声信号をデータ圧縮するエンコード回路と、磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置を制御するデータ送信回路と、を備えた録画装置において、
該データ送信回路より制御用のデータを送信して該他の映像音声再生装置を検索用画面表示状態にするステップと、該他の映像音声信号再生装置から入力される該検索用画面の映像信号を静止画として記録するステップと、該データ送信回路より制御用のデータを送信して該他の映像音声再生装置を再生状態にするステップと、該他の映像音声信号再生装置から入力される映像音声信号をデータ圧縮して記録するステップと、該記録された映像音声信号の分割点を指定するステップと、静止画として記録された画像の領域と該映像音声信号の分割点とを関連付けて指定しメニュー画面を作成するステップと、作成したメニュー画面と分割した映像音声信号を前記光ディスクに記録するステップと、を設けた制御方法を録画装置で実施するようにした。
【００１０】
あるいは、前記した目的を達成するため本発明では、磁気ディスク装置と、記録可能な光ディスクドライブと、該磁気ディスク装置と該記録可能な光ディスクドライブのデータ書き込みおよび読み出しを制御する記録再生制御回路と、他の映像音声信号再生装置とデジタル化された映像音声信号データおよび制御用のデータを送受信するインターフェース回路と、を備えた録画装置において、
該インターフェース回路より制御用のデータを送信して該他の映像音声再生装置を検索用画面表示状態にするステップと、該他の映像音声信号再生装置から入力される該検索用画面の映像信号を静止画として記録するステップと、該データ送信回路より制御用のデータを送信して該他の映像音声再生装置を再生状態にするステップと、該他の映像音声信号再生装置から入力される映像音声信号を記録するステップと、該記録された映像音声信号の分割点を指定するステップと、静止画として記録された画像の領域と該映像音声信号の分割点とを関連付けて指定しメニュー画面を作成するステップと、作成したメニュー画面と分割した映像音声信号を光ディスクに記録するステップと、を設けた制御方法を録画装置で実施するようにした。
【００１１】
【発明の実施の形態】
本発明の実施の形態について以下図面を用いて説明する。
図１は本発明の１実施形態である録画装置の構成を示すブロック図である。録画装置１００は、アンテナ２００より端子１０２を介して放送電波を受信して映像音声信号を再生するチューナ１０１、外部の装置より端子１０３を介して受信した映像音声信号とチューナ１０１の出力する映像音声信号とを制御回路１１３の指示に従い切り替えるスイッチ１０４、スイッチ１０４の出力する映像音声信号をデータ圧縮して記録用のデータとして出力する図示しないＡＤ変換器を含むエンコード回路１０５、エンコード回路１０５の出力するデータを受け取りＨＤＤ１０７と光ディスクドライブ１０８に書き込むデータを生成しまたＨＤＤ１０７と光ディスクドライブ１０８から読み出したデータをデコード回路１０９に供給するとともにＨＤＤ１０７および光ディスクドライブ１０８の読み出し書き込みの動作を制御する記録再生制御回路１０６、記録再生制御回路１０６の指示に従いデータの記録および再生を行うＨＤＤ１０７および記録可能な光ディスクドライブ１０８、記録再生制御回路１０６の出力するデータを伸張処理して映像音声信号に復元する図示しないＤＡ変換器を含むデコード回路１０９、制御回路１１３の指示に従い使用者に伝える情報を表示するための画面を生成する表示画面生成回路１１０、デコード回路１０９の出力する映像音声信号と表示画面生成回路１１０の出力する映像音声信号を合成して出力端子１１２を介して他の装置に出力する合成回路１１１、録画装置１００各部から情報を受け取るとともに各部に指示を送り動作を制御する制御回路１１３、図示しないリモコン装置より受光部１１４を介して制御コマンドを受信して制御部１１３に送るリモコン受信回路１１５、制御回路１１３の指示を受けて端子１１７を介して他の映像音声信号再生装置に指示を送る発光器（図示しない）に制御データを送るデータ送信回路１１６とによって構成される。
【００１２】
図１に示した録画装置１００ではチューナ１０１によって受信される放送番組や他の再生装置などから受信した映像音声信号をＨＤＤ１０７もしくは光ディスクドライブ１０８において記録し、記録された映像音声信号を他のモニタ装置などに出力する。またＨＤＤから光ディスクへ、あるいはまたその逆に光ディスクからＨＤＤへと記録されている映像音声信号をコピーしたり移動したりすることができる。
【００１３】
図２は図１に示した録画装置を含む映像録画再生システムの構成を示しており、本発明の１実施形態である録画装置の接続態様を示すブロック図である。図２において、ＶＴＲ３００の再生する映像音声信号は端子１０３を介して録画装置１００に入力されて録画装置１００内のＨＤＤ１０７または光ディスクドライブ１０８にて記録され、録画装置１００で再生され端子１１２から出力した映像音声信号はモニタ４００にて表示される。録画装置１００の端子１１７にはＶＴＲ３００のリモコン受光部に赤外光を送信して動作を制御する発光器６００が接続され、録画装置１００に動作を指示するリモコン５００は受光部１１４を介して録画装置１００に制御データを送信する。録画装置１００の使用者はリモコン５００を用いて録画装置１００に対して所望する動作の指示を与えるが、録画装置１００本体のパネル上に操作ボタンを設けてもよく、あるいは両者を併用することも可能である。
【００１４】
ＶＴＲ３００はテープへの映像音声信号記録に際してテープに識別用のインデックス信号を記録し、このインデックス番号と記録時間、チャンネルなどの録画情報を対応付けて記憶するメモリを備え、記録済みテープの内容検索用の画面を該メモリに記憶されている情報を元に生成して、検索を行う機能を有するものであるとする。
なお、ＶＴＲ３００より録画装置１００に入力される映像音声信号は記録動作時およびその準備段階には記録再生制御回路１０６を経て出力端子１１２に送られ、モニタ４００にて確認することができる。
【００１５】
次に図１の録画装置１００を図２に示した接続態様により使用して、ＶＴＲ３００によりテープに記録された映像音声信号を再生して、録画装置１００において光ディスクに記録し直す際の動作について説明する。
図３はテープに記録された映像音声信号をＶＴＲ３００で再生し、録画装置１００内のＨＤＤに記録するまでの手順を示すフローチャートである。始めに録画装置１００での録画の条件の設定を行う（ステップ１００１）。録画装置１００の録画条件とは記録する映像音声信号のソース、合計記録時間などが含まれ、表示画面生成回路１１０の生成する設定画面を用いてリモコン５００により入力指示を行うなどしてこれらを設定する。次いでリモコン５００から記録動作の開始する指示が与えられる（ステップ１００２）と、スイッチ１０４を端子１０３側に切り替え外部装置からの映像音声信号の入力をエンコード回路１０５に導く（ステップ１００３）。次にデータ送信回路１１６より端子１１７に接続された発光器６００に対して、テープに記録されている映像音声信号の内容を検索するための画面を表示させるための制御データを含むリモコンコマンドを送信し（ステップ１００４）、ＶＴＲ３００に記録内容の検索用画面を表示させてから、これを静止画としてＨＤＤ１０７に記録する（ステップ１００５）。記録済みの内容がテープに多く含まれている場合には、検索用画面が１画面だけでなく複数あるので、現在の表示画面の次の検索画面があるかを判定し（ステップ１００６）、次の画面がある場合にはデータ送信回路１１６よりＶＴＲ３００に対して次の検索用画面に進むためのリモコンコマンドを送信するためのデータを送り（ステップ１００７）、次の検索用画面を表示させてＨＤＤ１０７への記録を行い、すべての検索用画面が記録されるまでＨＤＤ１０７への静止画としての記録を繰り返す。検索用画面をすべて記録し終えたら、データ送信回路１１６よりＶＴＲ３００に対して検索用画面の表示を終了して再生動作を開始するためのリモコンコマンドを送信するためのデータを送り（ステップ１００８）、ＶＴＲ３００に再生動作を開始させる。なお、このときにテープが先頭位置まで巻き戻されていない場合には最初に巻き戻しを指示するリモコンコマンドを送るようにする。ＶＴＲ３００に再生開始のリモコンコマンドを送るとともに録画装置１００は端子１０３より入力される映像音声信号をＨＤＤ１０７に記録する動作を開始し、ＶＴＲ１００の再生する映像音声信号を記録する（ステップ１００９）。記録動作中は経過時間を監視して（ステップ１０１０）、最初に設定された録画時間に達するまで記録を続ける。所定時間に達したらデータ送信回路１１６よりＶＴＲ３００に対して再生を停止するためのリモコンコマンドを送信するためのデータを送るとともにＨＤＤ１０７への記録を終了する（ステップ１０１１）。以上の手順によってＶＴＲ３００によりテープに記録されていた映像音声信号と該テープに記録されている内容を検索するための画面のデータが録画装置１００のＨＤＤ１０７に記録される。
【００１６】
上記したステップの中で検索用画面が最後のものかどうかの判定は使用者がＶＴＲ３００の発生する画面を確認しながら行えばよいが、この際に録画装置１００の表示画面生成回路により適切な使用者へのメッセージ画面を表示させることにより使い勝手を高めることができる。また、ＨＤＤ１０７への記録を行っている間は経過時間を監視するだけでなく、エンコード回路１０５により入力映像音楽信号をモニタリングして、無信号状態となったらＨＤＤ１０７への記録を止めるようにしてもよい。
【００１７】
図４はＶＴＲ３００が生成するテープに記録された内容検索用画面の一例である。テープの識別番号（０２３）を含むタイトル１０の下に記録されている映像音声信号６つ分のデータ１１〜１６が表示されている。データの下には次画面選択部１７と前画面選択部１８が表示されており、例えばＶＴＲの付属リモコンの左右キーなどを押すことによってそれぞれ次あるいは前の検索画面に移ることができる。なお図４の例ではこれが先頭の画面であるため前画面選択部１８は網掛けが施されている。
【００１８】
次にＶＴＲ３００から録画装置１００のＨＤＤ１０７に記録された映像音声信号と検索用画面により光ディスクを作成する手順について説明する。図５は録画装置１００において、ＨＤＤ１０７に記録された映像音声信号を光ディスクドライブ１０８に装着した光ディスクに記録するための手順を示すフローチャートである。最初にＨＤＤ１０７に記録されている映像音声信号の中から光ディスクに記録するものを選択する画面を表示画面生成回路１１０により表示し（ステップ１１０１）、リモコン５００からの指示によって先にＶＴＲ３００から記録された映像音声信号を光ディスクに記録するものとして選択する（ステップ１１０２）。選択した映像音声信号にはＶＴＲ３００で何回かに分けて記録が行われた部分が複数含まれている場合があるのでこれを元の各部分に分割する。まず先にＨＤＤ１０７に静止画データとして記録した検索用画面を表示し（ステップ１１０３）、映像音声信号の記録状態を確認しながら分割点を時間により指定する（ステップ１１０４）。次に検索用画面の上で直前に分割した映像音声信号に対応する部分を指定する（ステップ１１０５）。
【００１９】
図６はＨＤＤ１０７に記録されている映像音声信号と検索用画面の関係を示す図である。
ＨＤＤ１０７に記録されている映像音声信号２０は先にＶＴＲ３００で記録された映像音声信号「１」、「２」、・・・を含んでおり、検索用画面２１上に表示される「１」、「２」、・・・とそれぞれ対応している。点線で示したのは両者の対応関係である。検索用画面上で分割した映像音声信号に対応する部分を指定するには、例えば「１」の信号に対応する領域２２の左上点２３と右下点２４により指定すればよい。またあらかじめ定められた検索用画面のパターンを録画機器１００の制御回路１１３に記憶させておき、その中で定められた領域の中から選択するようにして操作を簡略化することも可能である。
【００２０】
上記のようにして映像音声信号の分割点の指定とその検索用画面上での対応部分の指定を行った後、次の分割点があるかを判定し（ステップ１１０６）、検索画面上のすべての映像音声信号を分割するまで繰り返す。検索画面上のすべての分割を終えると次の検索用画面があるかを判定し（ステップ１１０７）、次の検索用画面がある場合にはこれを表示して（ステップ１１０８）、映像音声信号の分割と検索画面上の部分指定をすべての検索用画面について繰り返す。なお、一つの検索用画面から次の検索用画面に移る動作の指定として、検索用画面に設けられている次画面表示部および前画面表示部を用いることができる。この場合には次の検索用画面の表示の前に、部分指定を行わせるようにすればよい。
【００２１】
すべての検索用画面について映像音声信号と画面上の対応部分の指定を終えた後、その結果をもとにして、光ディスクに書き込むためのメニューデータを生成し光ディスクに記録する（ステップ１１０９）。メニューデータの形式はＤＶＤ  Ｖｉｄｅｏ規格に準拠した物とすればよく、これにより作成した光ディスクが再生専用の光ディスク再生装置などにおいても視聴かのうになる。次に映像音声信号の分割結果に従ってＨＤＤ１０７に記録されている映像音声信号を光ディスクに記録する（ステップ１１１０）。ＨＤＤ１０７に記録されている映像音声信号の量が多く一枚の光ディスクに収容しきれない場合には（ステップ１１１１）、使用者に光ディスクの交換を促して交換を行い（ステップ１１１２）、次の光ディスクに同様にして記録を行う。すべての分割した映像音声信号を光ディスクに記録が完了したら終了する。
【００２２】
以上のようにして図１に示した録画装置によればテープに録画されている内容の検索機能を有するＶＴＲから、テープに記録されている映像音声信号を受信して記録可能な光ディスクに録画し直すことができ、しかもＶＴＲの検索画面をもとにして光ディスクに記録した内容のメニュー画面を簡単な操作で実現することができる。
【００２３】
次に本発明の第２番目の実施形態について説明する。
図７は本発明の第２の実施形態である録画装置の構成を示すブロック図である。図７に示す録画装置１００ａの構成要素のうち図１に示した録画装置１００と同一の部分には同じ番号を付してある。図７の録画装置１００ａにおいて図１の録画装置１００と比べて異なる点は、他の装置と端子１２０を介して接続するためのシリアルＩＦ回路１２１と、エンコード回路１０５の出力とシリアルＩＦ回路１２１の出力とを制御回路１２３の指示に従って選択し記録再生制御回路１０６に送るスイッチ１２２とを設けたことにある。端子１２０を介してシリアルＩＦ１２１で受信したデジタル形式の映像音声信号はスイッチ１２２を経て記録再生制御回路１０６に送られて、ＨＤＤ１０７もしくは光ディスクドライブ１０８において記録される。またシリアルＩＦ回路１２３は制御回路１２３の指示に基づき、端子１２０を介して接続されている他の装置に対して該装置を制御するためのデータを送信する。
【００２４】
図８は図７に示した録画装置１００ａを含む映像録画再生システムの構成を示している。デジタルＶＴＲ８００はシリアルインターフェースケーブルにより録画装置１００ａの端子１２０に接続され、テープに記録されているデジタル形式の映像音声信号を録画装置１００ａに送る。なお図８ではデジタルＶＴＲ８００から端子１０３にも接続されており、デジタルＶＴＲ３００においてテープに記録されている内容を検索するための検索用画面を表示する場合およびアナログ形式で記録されているテープを再生する場合には、録画装置１００ａの端子１０３に映像音声信号を送る。
【００２５】
図７に示す録画装置１０７ａにおいても図８に示すようにデジタルＶＴＲ８００およびモニタ４００と接続することによって、図１および図２に示した録画装置において実行するのと同様にしてデジタルＶＴＲ８００からテープに記録されている映像音声信号を録画装置に送り光ディスクに録画し直すことができ、その際にデジタルＶＴＲ８００の生成する検索用の画面を用いて光ディスクのメニュー画面を簡単な操作で作成することができる。
【００２６】
なお図７に示した録画装置１００ａの構成では図１に示した録画装置１００に設けていたデータ送信回路１１６および端子１１７を省略しているが、これらを持たせることもできる。この場合には接続するＶＴＲがアナログであるかデジタルであるかによらずいずれのＶＴＲからも映像音声信号と検索用画面を受信して光ディスクに記録することができる。
【００２７】
以上説明した本発明の実施の形態ではＨＤＤおよび光ディスクは録画装置に内蔵されている物としているが、これらの実装形態は外付けのドライブであっても良い。また２代目以上のドライブ装置として増設した物であっても本発明の効果を発揮することは可能である。また静止画記録やメニューデータの保存のためにはＨＤＤ以外にも内蔵の半導体メモリ素子や、着脱可能な半導体メモリカードなどを用いて録画装置を構成することも可能である。
【００２８】
本発明の実施の形態では、ＨＤＤから光ディスクに映像音声信号を記録し直すようにしているが、２台以上の光ディスクドライブを有して、これらの間で映像音声信号の移動を行わせるようにすることも可能である。また、光ディスクに書き込む際に作成するメニューデータは、ＨＤＤに記憶されている映像音声信号を検索させるために用いても良い。
【００２９】
以上のように、本発明では、光ディスクへの録画機能を備えた録画装置において、既存のＶＴＲから入力する映像音声信号を光ディスクに記録し直すことができ、しかも従来のＶＴＲが有する記録内容検索機能を光ディスクに録画する際のメニュー画面の作成に利用できるような録画装置およびそのような録画装置の制御方法を余分なコスト増を招くことなく提供することができる。
【００３０】
【発明の効果】
本発明によれば光ディスクへの録画機能を備えた録画装置において、既存のＶＴＲから入力する映像音声信号を余分なコスト増を招くことなく光ディスクに記録し直すことができる
【図面の簡単な説明】
【図１】本発明の実施形態である録画装置のブロック図である。
【図２】本発明の実施形態である録画装置の接続態様を示すブロック図である。
【図３】テープに記録された映像音声信号を本発明の実施形態である録画装置に記録するまでの手順を示すフローチャートである。
【図４】本発明の実施形態である録画装置においてＨＤＤに記録された映像音声信号を光ディスクドライブに装着した光ディスクに記録するための手順を示すフローチャートである。
【図５】本発明の実施形態である録画装置のＨＤＤに記録された映像音声信号を光ディスクに記録するための手順を示すフローチャートである。
【図６】本発明の実施形態である録画装置のＨＤＤに記録されている映像音声信号と検索用画面の関係を示す図である。
【図７】本発明の第２の実施形態である録画装置の構成を示すブロック図である。
【図８】本発明の第２の実施形態である録画装置の接続態様を示すブロック図である。
【符号の説明】
１００、１００ａ・・・録画装置
１０４・・・スイッチ
１０５・・・エンコード回路
１０６・・・記録再生制御回路
１０７・・・ＨＤＤ
１０８・・・光ディスドライブ
１１３、１２３・・・制御回路
１１６・・・データ送信回路
１２１・・・シリアルＩＦ回路
３００・・・ＶＴＲ
５００・・・リモコン
６００・・・発光回路
８００・・・デジタルＶＴＲ
【図１】
2005057327.tif 000003
【図２】
2005057327.tif 000004
【図３】
2005057327.tif 000005
【図４】
2005057327.tif 000006
【図５】
2005057327.tif 000007
【図６】
2005057327.tif 000008
【図７】
2005057327.tif 000009
【図８】
2005057327.tif 000010